(57)【特許請求の範囲】
【請求項１】
直方体からなる複数個の木製ブロック（５１）を連結金具（１）を用いて接合する木製ブロックの接合方法であって、前記木製ブロック（５１）の各々には各小口（５１Ｃ）に開口し、厚さ方向の一側面（５１Ａ）から他側面（５１Ｂ）に貫通する直線状の嵌合溝（５２）を形成し、前記連結金具（１）は長方形の連結板（２）と、該連結板（２）の長手方向一端側に互いに逆方向に屈曲形成した一対の打込片（３、４）を一体に構成したものとし、一対の木製ブロック（５１、５１）の小口（５１Ｃ、５１Ｃ）を当接することにより連通する一対の嵌合溝（５２、５２）にわたって該連結金具（１）の連結板（２）を挿入し、連結金具（１）の一対の打込片（３、４）は前記一対の木製ブロック（５１、５１）の各々に打ち込むと共に、連結板（２）の先端側（２Ａ）を厚さ方向に当接する他の木製ブロック（５１）に打ち込むことにより、複数個の木製ブロック（５１）を長手方向及び厚さ方向に接合するようにしてなる木製ブロックの接合方法。
【請求項２】
直方体からなる複数個の木製ブロック（６１）を連結金具（２１）を用いて接合する木製ブロックの接合方法であって、前記木製ブロック（６１）の各々には各小口（６１Ｃ）に開口し、厚さ方向の一側面（６１Ａ）から他側面（６１Ｂ）に貫通する直線状の嵌入溝部（６２Ａ）と、該嵌入溝部（６２Ａ）の後端から略直角方向に屈曲する係止溝部（６２Ｂ）とからなる平面略Ｌ字状の嵌合溝（６２）を形成し、前記連結金具（２１）は前記木製ブロック（６１）の厚さと略同じ長さに設定した長方形の連結板（２２）と、該連結板（２２）の長手方向両端に略角状に突出形成した各一対の係止片（２３、２３、２４、２４）と、前記連結板（２２）の長手方向基端側（２２Ａ）に略直角に折り曲げ形成した叩打片（２５）と、前記連結板（２２）の幅方向両端側を略直角に折り曲げ形成した一対の拡開防止片（２６、２７）を一体に構成したものとし、一対の木製ブロック（６１、６１）の小口（６１Ｃ、６１Ｃ）を当接することにより連通する一対の嵌合溝（６２、６２）のうち、連通する一対の嵌入溝部（６２Ａ、６２Ａ）には該連結金具（２１）の連結板（２２）を挿入し、一対の嵌合溝（６２、６２）の両端に位置する一対の係止溝部（６２Ｂ、６２Ｂ）には連結金具（２１）の拡開防止片（２６、２７）を夫々挿入し、前記叩打片（２５）を叩打して長手方向先端側の一対の係止片（２４、２４）を厚さ方向の他側に当接する他の木製ブロック（６１）に打ち込み、また、連結金具（２１）の基端側の一対の係止片（２３、２３）は厚さ方向の一側に当接する他の木製ブロック（６１）に打ち込むことにより、複数個の木製ブロック（６１、６１、・・）を長手方向及び厚さ方向に接合するようにしてなる木製ブロックの接合方法。
【発明の詳細な説明】
【０００１】
【発明の属する技術分野】
本発明は、直方体からなる複数の木製ブロックを連結金具を用いて長手方向及び厚さ方向に接合する木製ブロックの接合方法に関する。
【０００２】
【従来の技術】
建築廃材には種々の欠点、例えば打ち込まれた釘、釘跡、加工跡、乾燥過剰による節の硬化等があるために再利用する場合には多くの修正加工が必要であることから、新材を用いるよりも価格が高いという欠点がある。そこで、廃材を適宜の長さに切断してブロック体に形成し、連結金具で連結することにより長尺材に再生することや、複数の木製ブロックを面状に連結して厚板に再生して使用することが行なわれている。このためには複数の木製ブロックを長さ方向及び厚さ方向に確実に接合することが必要であるが、従来は接着剤で接着する方法、列設する木製ブロックに平板状の連結板を挿入して連結する方法、鎹で連結する方法が採られている。
【０００３】
また、特開平１１−２８６９９５号公報には、接合される木材の端面から木材の長手方向に向かってそれぞれ形成された狭い溝を突き合わせるように各木材を配置し、該溝に、複数の孔が設けられた薄板状の接合金具を挿通しかつ木材に設けられたピン穴にピンを差し込んで接合金具を各木材に固定することを特徴とする木材の接合構造、が開示されている。
【０００４】
【発明が解決しようとする課題】
上述した従来技術のうち、接着剤により接合する方法は連結作業は簡単であるが、引っ張り方向及び横方向の強度性に欠けるという欠点がある。また、連結板による接合方法は横方向には強いが引っ張り方向には弱いという欠点がある。さらに、鎹による接合方法は引っ張り方向には強いが木製ブロックを厚さ方向に列設する場合には楔を木製ブロックに埋め込まない限り障害になるという欠点がある。
【０００５】
また、特開平１１−２８６９９５号公報に記載の接合構造では、接合する各木材に複数のピン穴を穿設しなければならないし、ピン結合作業が必要であることから種々のコストが嵩むという欠点があるため、特に建築廃材を再利用するために再生した木製ブロックの接合構造には適当でないという欠点がある。また、接合金具と木材に穿設した複数のピン穴の各々を衝合してピンを挿通する作業は実際には極めて面倒であり、作業性が悪いという欠点がある。
【０００６】
本発明は上述した従来技術の諸欠点や問題点に鑑みなされたもので、木製ブロックを容易に、確実にまた効率よく接合することができるし、外部に連結金具が露出しないので木製品を制作する場合に外観を損なうことがなく家具等の制作にも用いることができる木製ブロックの接合方法を提供することを目的とする。
【０００７】
【課題を解決するための手段】
上述した課題を解決するために構成された請求項１に記載の発明の手段は、直方体からなる複数個の木製ブロック（５１）を連結金具（１）を用いて接合する木製ブロックの接合方法であって、前記木製ブロック（５１）の各々には各小口（５１Ｃ）に開口し、厚さ方向の一側面（５１Ａ）から他側面（５１Ｂ）に貫通する直線状の嵌合溝（５２）を形成し、前記連結金具（１）は長方形の連結板（２）と、該連結板（２）の長手方向一端側に互いに逆方向に屈曲形成した一対の打込片（３、４）を一体に構成したものとし、一対の木製ブロック（５１、５１）の小口（５１Ｃ、５１Ｃ）当接することにより連通する一対の嵌合溝（５２、５２）にわたって該連結金具（１）の連結板（２）を挿入し、連結金具（１）の一対の打込片（３、４）は前記一対の木製ブロック（５１、５１）の各々に打ち込むと共に、連結板（２）の先端側（２Ａ）を厚さ方向に当接する他の木製ブロック（５１）に打ち込むことにより、複数の木製ブロック（５１）を長手方向及び厚さ方向に接合するようにしたものからなる。
【０００８】
また、請求項２に記載の発明の手段は、直方体からなる複数個の木製ブロック（６１）を連結金具（２１）を用いて接合する木製ブロックの接合方法であって、前記木製ブロック（６１）の各々には各小口（６１Ｃ）に開口し、厚さ方向の一側面（６１Ａ）から他側面（６１Ｂ）に貫通する直線状の嵌入溝部（６２Ａ）と、該嵌入溝部（６２Ａ）の後端から略直角方向に屈曲する係止溝部（６２Ｂ）とからなる平面略Ｌ字状の嵌合溝（６２）を形成し、前記連結金具（２１）は前記木製ブロック（６１）の厚さと略同じ長さに設定した長方形の連結板（２２）と、該連結板（２２）の長手方向両端に略角状に突出形成した各一対の係止片（２３、２３、２４、２４）と、前記連結板（２２）の長手方向基端側（２２Ａ）に略直角に折り曲げ形成した叩打片（２５）と、前記連結板（２２）の幅方向両端側を略直角に折り曲げ形成した一対の拡開防止片（２６、２７）を一体に構成したものとし、一対の木製ブロック（６１、６１）の小口（６１Ｃ、６１Ｃ）を当接することにより連通する一対の嵌合溝（６２、６２）のうち、連通する一対の嵌入溝部（６２Ａ、６２Ａ）には該連結金具（２１）の連結板（２２）を挿入し、一対の嵌合溝（６２、６２）の両端に位置する一対の係止溝部（６２Ｂ、６２Ｂ）には連結金具（２１）の拡開防止片（２６、２７）を夫々挿入し、前記叩打片（２５）を叩打して長手方向先端側の一対の係止片（２４、２４）を厚さ方向に当接する他の木製ブロック（６１）に打ち込み、また、連結金具（２１）の基端側の一対の係止片（２３、２３）は厚さ方向に当接する他の木製ブロック（６１）に打ち込むことにより、複数個の木製ブロック（６１、６１、・・）を長手方向及び厚さ方向に接合するようにしたものからなる。
【０００９】
【発明の実施の形態】
以下、本発明の実施の形態を図面に基づき詳述する。図１乃至図４は第１の実施の形態を示す。先ず実施の形態で接合する木製ブロックについて説明すると、図において、５１、５１、・・・は木製ブロックで、該木製ブロック５１は廃材を例えば縦横の寸法が１００ｍｍ、長さが１５０ｍｍの直方体に裁断したものからなっており、図において上面の一側面５１Ａから下面の他側面５１Ｂにかけて小口５１Ｃには直線状の嵌合溝５２が鋸引きして形成してある。次に、１は前記木製ブロック５１を結合する連結金具、２は該連結金具１を構成する長方形の平板からなる連結板で、該連結板２は木製ブロック５１の厚さＳよりも長い寸法Ｌ、例えば１２０ｍｍに設定してあり、木製ブロック５１に一側面５１Ａから挿入した連結板２は先端側２Ａが他側面５１Ｂから突出するようになっている。
【００１０】
３、４は前記連結板２の長手方向基端側２Ｂに互いに逆方向に略Ｕ字状に屈曲形成した一対の打込片で、該各打込片３、４は連結板２の基端側２Ｂを中央から切り裂くように逆方向に略逆Ｕ字状に屈曲させて形成してある。
【００１１】
本実施の形態に係る連結金具１は上述の構成からなるが、次に連結金具１を用いた木製ブロック５１の接合方法について説明する。先ず、各木製ブロック５１の各小口５１Ｃに鋸引きにより、連結板２の横幅Ｗ１  の半分の奥行Ｗ２  で、連結板２が挿入できる溝幅の嵌合溝５２を形成する。そして、接合する一対の木製ブロック５１、５１の小口５１Ｃ、５１Ｃを当接した状態で厚さ方向に段違い（段逃げ）に木製ブロック５１を列設する。次に、衝合した一対の嵌合溝５２、５２に連結金具の連結板２を挿入し、一方の打込片３は長手方向一側の木製ブロック５１に、他方の打込片４は他側の木製ブロック５１に金槌やハンマー等で打込む。かくして、打込片３、４が各々打込まれることにより一対の木製ブロック５１、５１は連結金具１を介して一体に結合した状態になる。
【００１２】
また、上記打込みにより連結板２の先端側２Ａは厚さ方向に列設してある他の木製ブロック５１に打込まれることにより（図３参照）、厚さ方向に列設してある木製ブロック５１、５１も１の連結金具１によって一体に接合することができる。
【００１３】
なお、本実施の形態に係る連結金具１の連結板２は先端側２Ａを凵状に形成したが、後述する変形例のように先細り状に形成して木製ブロック５１に容易に打込むことができるようにしてもよいものである。
【００１４】
また、図４は本実施の形態の変形例を示す。図において、１１は連結金具、１２は該連結金具１１を構成する連結板で、該連結板１２は長方形の平板からなっているが、その先端側１２Ａは先細り状に形成して木製ブロック５１への打込みを容易にしてある。１３、１４は連結板１２の基端側１２Ｂを中央から切り裂くように逆方向に屈曲させて形成した一対の打込片を示す。該各打込片１３（１４）は連結板１２の基端側１２Ｂを直角に屈曲して形成した矩形片を更に対角線に沿って略直角に屈曲することにより、略三角形の叩打部１３Ａと、先端１３Ｂ１  （１４Ｂ１  ）が鋭角状の略三角形の食い込み部１３Ｂ（１４Ｂ）とから形成されている。
【００１５】
上述した連結金具１１によれば、連結板１２の先端側１２Ａは先細りに形成してあるから、厚さ方向に列設した木製ブロック５１に連結板１２を容易に打ち込むことができる。また、打込片１３（１４）は食い込み部１３Ｂ（１４Ｂ）が木製ブロック５１の長手方向に対して斜め４５度の傾斜角で打ち込まれているから、長手方向の引っ張り力に対して強い強度を持つことができる。しかも、食い込み部１３Ｂ（１４Ｂ）は先端１３Ｂ１  （１４Ｂ１  ）が鋭角状をなしているから、木製ブロック５１に容易に、かつ確実に打ち込むことができる。
【００１６】
次に、図５乃至図９は第２の実施の形態を示す。なお、前述した第１の実施の形態の構成要素と同一の構成要素には同一の符号を付して援用し、その説明を省略する。図において、６１は本実施の形態で接合する木製ブロックで、該木製ブロック６１は第１の実施の形態の木製ブロック５１と同様の直方体からなっているが、厚さ方向の一側面６１Ａから他側面６１Ｂにかけて各小口６１Ｃには縦方向溝の嵌入溝部６２Ａと、該嵌入溝部６２Ａの後端から略直角方向に屈曲する係止溝部６２Ｂからなる平面略Ｌ字状の嵌合溝６２が形成してある。
【００１７】
２１は複数の木製ブロック６１、６１、・・・を接合する連結金具、２２は該連結金具２１を構成する連結板で、該連結板２２は木製ブロック６１の厚さＳと略同じ長さＬに設定した長方形の平板からなっている。２３、２３は前記連結板２２の長手方向基端側２２Ａから略角状に突出形成した一対の一側係止片で、該各一側係止片２３は厚さ方向の一側に列設する木製ブロック６１に挿入されることにより一対の木製ブロック６１、６１を接合するものである。また、２４、２４は連結板２２の長手方向先他端２２Ｂから略角状に突出形成した一対の他側係止片で、該各他側係止片２４は厚さ方向の他側に列設する木製ブロック６１に挿入されることにより接合するものである。
【００１８】
２５は連結板２２を木製ブロック６１に打ち込むために金槌やハンマーで叩くための叩打片で、該叩打片２５は連結板２２の長手方向一端側で、一側係止片２３、２３の間を略直角方向に屈曲して形成してある。２６、２７は連結板２２の幅方向両端から略直角に屈曲形成した一対の拡開防止片を示し、該拡開防止片２６（２７）は木製ブロック６１の係止溝部６２Ｂに嵌入することにより、木製ブロック６１に加わる引っ張り方向の力に抗するものである。
【００１９】
本実施の形態に係る連結金具２１は上述の構成からなるが、次に連結金具２１を用いた木製ブロック６１の接合方法について説明する。先ず、各木製ブロック６１に嵌合溝６２を形成する。この溝形成作業は工場で予め行なうことができる。木製ブロック６１、６１は小口６１Ｃ、６１Ｃを突き合わせて長手方向に列設し、また一の木製ブロック６１の一側面６１Ａに他の木製ブロック６１の他側面６１Ｂを当接して一対の木製ブロック６１、６１を厚さ方向に列設する。そして、衝合した一対の嵌合溝６２、６２に連結金具２１を打込む。これにより、連結金具２１の拡開防止片２６、２７が嵌合溝６２、６２の係止溝部６２Ｂ、６２Ｂに嵌合し、他側係止片２４、２４が厚さ方向に列設してある木製ブロック６１に嵌入することにより、複数の木製ブロック６１、６１、・・・を長手方向及び厚さ方向に接合することができる。
【００２０】
本実施の形態による連結金具２１によれば、連結板２２の基端側と先端側に一側係止片２３、他側係止片２４を設けた構成にしてあるから、厚さ方向に３段列設する木製ブロック６１、６１、６１を１個の連結金具２１で接合することができる。また、一対の拡開防止片２６、２７が長さ方向に列設する木製ブロック６１、６１に係止することにより、引っ張り方向の外力に強固に抗することができ、長手方向に列設した木製ブロック６１、６１を確実に接合することができる。
【００２１】
【発明の効果】
本発明は以上詳述した如く構成したから、下記の諸効果を奏する。
（１）請求項１及び２に記載の発明によれば、１の連結金具で複数の木製ブロックを接合することができるし、連結金具は木製ブロックに形成した嵌合溝に嵌入させるだけでよいから、接合作業も容易に行なうことができるし、作業効率にも優れている。
（２）連結金具は接合した木製ブロックに隠されて外部に露出しないから、家具等の木製品を構成する木製ブロックの接合に用いて好適である。
（３）本発明による接合方法は対象とする木材が廃材とか間伐材とかの種類は問わないが、接合コストが低いことから特に再生コストを可及的に抑えることが必要な建築廃材等を再利用する木製ブロックを接合する場合に用いて好適である。
（４）請求項１に記載の発明によれば、木製ブロックに形成して連結金具を嵌入する嵌合溝は１条の溝で足りるので、鋸引き作業で容易に成形できるし、熟練した技量も必要とされない。
（５）請求項２に記載の発明によれば、連結金具は基端側と先端側に係止片を設けてあるから、厚さ方向に３段に列設した木製ブロックを１の連結金具で接合することができる。また、一対の拡開防止片が長手方向に列設する木製ブロック内に完全に嵌入した状態になるから、引っ張り方向の外力に対して高い強度性を持つことができる。
【図面の簡単な説明】
【図１】図１乃至図４は本発明の第１の実施の形態に係り、図１は連結金具の斜視図である。
【図２】連結金具を木製ブロックに挿嵌する前の状態を示す斜視図である。
【図３】連結金具によって木製ブロックを接合した状態を示す説明図である。
【図４】第１の実施の形態の変形例に係る連結金具の斜視図である。
【図５】図５乃至図９は第２の実施の形態に係り、図５は連結金具の正面図である。
【図６】連結金具の右側面図である。
【図７】連結金具の平面図である。
【図８】連結金具を木製ブロックに挿嵌する前の状態を示す斜視図である。
【図９】連結金具によって木製ブロックを接合した状態を示す説明図である。
【符号の説明】
１、１１、２１        連結金具
２、１２、２２        連結板
２Ａ 先端側
３、４、１３、１４    打込片
２２                  連結板
２３、２４            係止片
２５                  叩打片
２６、２７            拡開防止片
５１、６１            木製ブロック
５１Ａ、６１Ａ 一側面
５１Ｂ、６１Ｂ 他側面
５１Ｃ、６１Ｃ        小口
５２、６２            嵌合溝
６２Ａ 嵌入溝部
６２Ｂ 係止溝部
【図１】
0003586834.tif 000002
【図２】
0003586834.tif 000003
【図３】
0003586834.tif 000004
【図４】
0003586834.tif 000005
【図５】
0003586834.tif 000006
【図６】
0003586834.tif 000007
【図７】
0003586834.tif 000008
【図８】
0003586834.tif 000009
【図９】
0003586834.tif 000010